(57)【要約】【課題】  事業者会員と他の一般会員との利益増進を主として図ることができるクーポン、を提供することができるシステムを提供すること。【解決手段】  顧客である会員に対してクーポンを提供する、クーポン提供システムであって、会員の内の、自らが商品又はサービスの提供を事業として行っている１以上の事業者会員から、それぞれ、当該商品又はサービスに関するクーポン情報を取得してクーポンの形に編集する、編集手段３１１と、編集されたクーポンを複数集合させて集合クーポンを作成する、作成手段３１２と、を備えていることを特徴としている。【選択図】図２
2005108081.tif 000002
【特許請求の範囲】
【請求項１】
顧客である会員に対してクーポンを提供する、クーポン提供システムであって、
会員の内の、自らが商品又はサービスの提供を事業として行っている１以上の事業者会員から、それぞれ、当該商品又はサービスに関するクーポン情報を取得してクーポンの形に編集する、編集手段と、
編集されたクーポンを複数集合させて集合クーポンを作成する、作成手段と、
を備えていることを特徴とするクーポン提供システム。
【請求項２】
編集手段が、
クーポン情報を提供する１以上の事業者会員に関するデータを登録した事業者会員データベースから、クーポンの主体となる事業者会員に関するデータを取得するステップと、
編集するクーポンのタイプを列挙したタイプの中から選択して決定するステップと、
クーポン情報を取得して、事業者会員に関するデータと共に、決定したタイプのクーポンに編集する、ステップと、
編集したクーポンを、クーポンデータを事業者会員毎に登録するクーポンデータベースに、クーポンデータとして登録する、ステップと、
を実行するようになっている、請求項１記載のクーポン提供システム。
【請求項３】
作成手段が、
クーポンデータベースから、クーポンの主体となる事業者会員のクーポンデータを次々と取得して、それらを並べて配置して集合クーポンを作成するステップを実行するようになっている、請求項１記載のクーポン提供システム。
【請求項４】
編集手段が上記ステップをコンピュータに実行させるプログラムで構成されており、
編集手段を事業者会員に送信し、編集されたクーポンを事業者会員から受信する、送受信手段、を備えている、請求項２記載のクーポン提供システム。
【発明の詳細な説明】
【技術分野】
【０００１】
本発明は、顧客である会員に対して商品又はサービスの提供を事業として行う主事業者が、新たな着想の下に、会員に対して、クーポンを提供するようにした、システムに関するものである。なお、クーポンとは、所定条件の下で所定内容の商品又はサービスを提供することを提示した券である。
【背景技術】
【０００２】
主事業者がその会員に対してクーポンを提供することは、現在において、多々行われていることである。
【特許文献１】特開２００３−５０９４２号公報
【発明の開示】
【発明が解決しようとする課題】
【０００３】
しかしながら、従来のクーポンは、主事業者の利益増進を主目的としたものであった。そして、従来においては、主事業者が会員に対して会員の利益増進を主目的としたクーポンを提供することは、行われていなかった。
【０００４】
本発明は、会員の中にも、商品又はサービスの提供を事業として行っている者がいることに着目してなされたものであり、そのような事業者会員と他の一般会員との利益増進を主として図ることができるクーポン、を提供することができるシステムを提供することを目的とする。
【課題を解決するための手段】
【０００５】
請求項１記載の発明は、顧客である会員に対してクーポンを提供する、クーポン提供システムであって、会員の内の、自らが商品又はサービスの提供を事業として行っている１以上の事業者会員から、それぞれ、当該商品又はサービスに関するクーポン情報を取得してクーポンの形に編集する、編集手段と、編集されたクーポンを複数集合させて集合クーポンを作成する、作成手段と、を備えていることを特徴としている。
【０００６】
請求項２記載の発明は、請求項１記載の発明において、編集手段が、クーポン情報を提供する１以上の事業者会員に関するデータを登録した事業者会員データベースから、クーポンの主体となる事業者会員に関するデータを取得するステップと、編集するクーポンのタイプを決定するステップと、クーポン情報を取得して、事業者会員に関するデータと共に、決定したタイプのクーポンに編集する、ステップと、編集したクーポンを、クーポンデータを事業者会員毎に登録するクーポンデータベースに、クーポンデータとして登録する、ステップと、を実行するようになっているものである。
【０００７】
請求項３記載の発明は、請求項１記載の発明において、作成手段が、クーポンデータベースから、クーポンの主体となる事業者会員のクーポンデータを次々と取得して、それらを並べて配置して集合クーポンを作成するステップを実行するようになっているものである。
【０００８】
請求項４記載の発明は、請求項２記載の発明において、編集手段が上記ステップをコンピュータに実行させるプログラムで構成されており、編集手段を事業者会員に送信し、編集されたクーポンを事業者会員から受信する、送受信手段、を備えているものである。
【発明の効果】
【０００９】
請求項１記載の発明によれば、会員を顧客とする主事業者が、多くの事業者会員のクーポンを会員に一度に提供することができる。それ故、事業者会員にとっては、特別な宣伝広告を行うことなく、安定した数の顧客に対してクーポンを提供することができるので、利益増進を図ることができる。また、会員にとっても、多くのクーポンを一度に得ることができるので、利益増進を図ることができる。更に、主事業者にとっては、自らの事業を行いながら、比較的容易に、事業者会員及びその他の一般会員の利益増進を図ることができるので、会員との結び付きを容易に強化することができ、自らの事業の安定的発展を図ることができる。
【００１０】
請求項２又は３に記載の発明によれば、請求項１記載の発明の効果を、簡単且つ確実に得ることができる。
【００１１】
請求項４記載の発明によれば、事業者会員は、送信されてきた編集手段を用いて、簡単にクーポンを編集して掲載依頼を行うことができる。
【発明を実施するための最良の形態】
【００１２】
図１は、本発明のクーポン提供システムを適用する、主事業者及びその会員、の関係を示す図である。主事業者１は、会員２に対して、商品又はサービスの提供を事業として行う者である。即ち、会員２は主事業者１の顧客である。例えば、主事業者１は、ある商品をレンタル契約で会員２に提供し、レンタル期間経過後、新たな商品と交換する、という事業を行う。一方、会員２は、自らも商品又はサービスの提供を事業として行っている事業者会員２１と、そうでない一般会員２２と、に分類できる。本発明のクーポン提供システムは、主事業者１が事業者会員２１からクーポン情報を取得して会員２（特に一般会員２２）に対してクーポンを提供しようとするものである。
【００１３】
図２は本発明のクーポン提供システムの構成図である。このクーポン提供システムは、クーポンサーバ装置３と複数の端末４とがネットワーク５を介して接続される構成を有している。基本的には、クーポンサーバ装置３は、主事業者１が有するコンピュータによって実現され、端末４は、事業者会員２１が有する携帯電話やコンピュータによって実現される。
【００１４】
クーポンサーバ装置３は、制御部３１と、記憶部３２と、入力部３３と、表示部３４と、内部バス３５と、インターフェース部３６と、を有している。制御部３１は、クーポン情報に基づいてクーポンを編集する編集手段３１１と、編集された複数のクーポンを集合させて集合クーポンを作成する作成手段３１２と、を有している。なお、基本的には、編集手段３１１及び作成手段３１２は、各々、後述するステップをコンピュータに実行させるプログラムで構成されている。記憶部３２は、事業者会員２１のデータが登録される事業者会員データベース３２１と、編集されたクーポンのデータが登録されるクーポンデータベース３２２と、を有している。なお、データベースは以下「ＤＢ」と略称する。
【００１５】
事業者会員ＤＢ３２１に登録される各事業所会員２１のデータは、図３に示すように、１〜６のフィールドで構成されている。即ち、発行コード、事業者会員コード、事業者会員名、住所、電話番号、担当者名である。発行コードは、主事業者１を特定するためのものであり、数字で表わされる。事業者会員コードは、事業者会員２１を特定するためのものであり、数字で表わされ、例えば、市外局番無しの電話番号を用いる。事業者会員名、住所、担当者名は、文字で表わされる。電話番号は、市外局番も含むものである。なお、事業者会員２１は、主事業者１との間で本システムを利用することについての契約を締結した後に登録される。その際、事業者会員２１は自己の電子メールアドレスを主事業者１に通知する。
【００１６】
クーポンＤＢ３２２に登録される各クーポンのデータは、図４に示すように、１〜８のフィールドで構成されている。即ち、発行コード、事業者会員コード、レコード識別１〜３、付加情報、送信日時、内容である。発行コード及び事業者会員コードは、事業者会員データと同じである。発行コード及びレコード識別１〜３は、制御部３１が作成手段３１２を実行する時に検索キーとなるものである。付加情報は、通常は未使用であり、データを拡張する場合に使用されるものである。送信日時は、年月日及び時間で表わされる。内容は、クーポンに記載される実際の情報である。
【００１７】
次に、本発明のクーポン提供システムの動作を説明する。なお、クーポン提供システムの動作は、クーポンの編集と、その後の集合クーポンの作成と、に大きく別けられる。
【００１８】
［クーポンの編集］
図５はクーポンの編集に係る本システムの動作のフローチャートである。図５は、主事業者１がクーポンサーバ装置３を有し且つ事業者会員２１が端末４を有している場合の動作を示している。事業者会員２１が端末４を操作してクーポンサーバ装置３に接続させ、制御部３１の編集手段３１１を起動させると（ステップ１）、編集手段３１１によって、以下のような処理が行われる。なお、ステップは以下「Ｓ」と略称する。
【００１９】
まず、図６に示す起動画面１０１が端末４に表示される。
次に、発行コード及び事業者会員コードが、事業者会員ＤＢ３２１から取得されるとともに、予め設定されている締切日も取得される（Ｓ２）。
【００２０】
更に、当該事業者会員２１のクーポンデータが既にクーポンＤＢ３２２に登録されている場合には、クーポンデータが取得され（Ｓ３）、「クーポンデータあり」において「ＹＥＳ」が選択されて（Ｓ４）、図９に示す入力後編集画面１０４が端末４に表示される（Ｓ６）。なお、クーポン情報に変更がある場合には、図９の画面１０４上で、変更を行う。
【００２１】
一方、当該事業者会員２１のクーポンデータが未だ登録されていない場合には、「クーポンデータあり」において「ＮＯ」が選択されて（Ｓ４）、図７に示すタイプ選択画面１０２が端末４に表示される（Ｓ５）。タイプ選択画面１０２では、店名及び締切日が表示されるとともに、ここでは７つのクーポンレイアウトのタイプが表示されている。例えば、タイプ２は、中文字１３字の上段と大文字６字の下段とでクーポン情報を表示するタイプである。
【００２２】
次に、タイプ選択画面１０２にて、当該事業者会員２１がタイプ５を選択すると、図８に示す入力前編集画面１０３が端末４に表示される。次に、当該事業者会員２１がクーポン情報を入力していくと、図９に示す入力後編集画面１０４が端末４に表示される（Ｓ６）。
【００２３】
そして、当該事業者会員２１が図９に示す送信ボタン９１を押すと、クーポンデータがクーポンＤＢ３２２に登録又は更新登録される（Ｓ７）とともに、図１０に示すクーポン確認画面１０５が端末４に表示される（Ｓ８）。当該事業者会員２１は、クーポン６を確認したら、制御部３１の編集手段３１１を終了させる（Ｓ９）。
【００２４】
一方、事業者会員２１が端末４を有していない場合には、主事業者１が、当該事業者会員２１に代わって、クーポンの編集を行うこととなる。図１１はその場合の本システムの動作のフローチャートである。主事業者１は、事業者会員２１からクーポン情報を取得した後に、クーポンサーバ装置３の入力部３３を操作して、制御部３１の編集手段３１１を起動させる（Ｓ１０）。これにより、編集手段３１１によって、以下のような処理が行われる。
【００２５】
まず、図１２に示す起動画面１０６がクーポンサーバ装置３の表示部３４に表示される。ここで、主事業者１は、当該事業者会員２１の発行コード及び事業者会員コードを、予め設定されている締切日と共に、入力部３３から入力する（Ｓ１１）。
【００２６】
その後のＳ１２〜Ｓ１８は、図５の場合のＳ３〜Ｓ９と同じである。但し、画面は端末４ではなく表示部３４に表示される。
【００２７】
以上により、編集手段３１１によって、事業者会員２１のクーポン情報がクーポン６の形に編集される。
【００２８】
なお、上述のＳ１に代えて、次のように動作させてもよい。即ち、クーポンサーバ装置３は、接続されている事業者会員２１の端末４に、クーポン掲載に関する通知の電子メール及びそれに添付したプログラムからなる編集手段３１１を、送信し、そして、編集手段３１１の送信を受けた事業者会員２１は、編集手段３１１を起動させる。なお、図１３は編集手段３１１を送信した際に端末４に表示される受信画面である。該受信画面には、事業所用エディタ（編集手段３１１）が添付されている。このＳ１によれば、Ｓ４〜Ｓ６が、クーポンサーバ装置３の制御部３１を作動させることなく、端末４において行われる。なお、この場合、クーポンサーバ装置３の制御部３１は、編集手段３１１を事業者会員２１に送信し、編集されたクーポン６を事業者会員から受信する、送受信手段（図示せず）を備えている。
【００２９】
［集合クーポンの作成］
図１４は集合クーポンの作成に係る本システムの動作のフローチャートである。主事業者１は、まず、クーポンサーバ装置３の入力部３３を操作して、制御部３１の作成手段３１２を起動させる（Ｓ１９）。これにより、作成手段３１２によって、以下のような処理が行われる。
【００３０】
まず、図１５に示す起動画面２０１がクーポンサーバ装置３の表示部３４に表示されるとともに、主事業者１の名称、住所、電話番号などの情報が記憶部３２から取得される（Ｓ２０）。
【００３１】
次に、主事業者１は、図１５の起動画面２０１において、発行コード、締切日、号名、有効期限を、入力部３３から入力する（Ｓ２１）。図１６は入力後の画面２０２である。
【００３２】
そして、図１６の画面２０２のレイアウトボタン９２を押すと、Ｓ２２及びＳ２３を繰り返して、図１７〜１９に示すレイアウト画面２０３〜２０５が作成され、表示部３４にそれぞれ表示される（Ｓ２４）。即ち、まず、図１７に示す表紙のレイアウト画面２０３が表示される。この表紙には、クーポンのタイトル８１、号名８２、有効期限８３、主事業者１の情報８４（名称、住所、電話番号）が表示されている。次に、図１８に示す集合クーポン６０のレイアウト画面２０４が表示される。即ち、クーポンＤＢ３２２から、Ｓ２１の入力情報に該当するクーポンデータが順次取得され（Ｓ２２）、事業者会員２１毎に登録されているクーポン６が、登録受付の順に、並べて配置されて（Ｓ２３）、集合クーポン６０が作成される。ここでは、１頁に１６個のクーポン６が４列４行で表示されている。そして、図１９に示す裏表紙のレイアウト画面２０５が表示される。この裏表紙には、主事業者１の情報８５（名称、住所、電話番号）が表示されている。
【００３３】
次に、図１７〜１９に示すレイアウト画面を印刷画面に設定し（Ｓ２５）、印刷手段（図示せず）により印刷し（Ｓ２６）、又は、ＰＤＦデータとし（Ｓ２７）、その後、作成手段３１２を終了させる（Ｓ２８）。
【００３４】
以上により、作成手段３１２によって、複数のクーポン６を集合させてなる集合クーポン６０が作成される。
【００３５】
このようにして作成された集合クーポン６０を、主事業者１は、会員２（特に一般会員２２）に、配る。主事業者１は、その事業の一環として定期的に会員２を訪ねることがある場合には、手渡しで配ればよいため、安価に又は無料で、本システムを実行することができる。
【００３６】
以上のように、本発明のクーポン提供システムによれば、主事業者１が、多くの事業者会員２１のクーポンを会員２に一度に提供することができる。それ故、事業者会員２１にとっては、特別な宣伝広告を行うことなく、安定した数の顧客に対してクーポンを提供することができるので、利益増進を図ることができる。また、会員２にとっても、多くのクーポンを一度に得ることができるので、利益増進を図ることができる。更に、主事業者１にとっては、自らの事業を行いながら、比較的容易に、事業者会員２１及び一般会員２２の利益増進を図ることができるので、会員２との結び付きを容易に強化することができ、自らの事業の安定的発展を図ることができる。
【００３７】
なお、主事業者１がクーポンサーバ装置３を有する場合について説明したが、主事業者１と利害関係を有する者が主事業者１に代わってクーポンサーバ装置３を有して、本システムを実行してもよい。また、そのような利害関係を有する者は、多数の主事業者１の代わりにクーポンサーバ装置３を有して、本システムを実行してもよい。
【産業上の利用可能性】
【００３８】
本発明のクーポン提供システムは、主として会員の利益増進を図ることができ、それに伴って主事業者の利益増進も図ることができるので、産業上の利用価値が大なるものである。
【図面の簡単な説明】
【００３９】
【図１】本発明のクーポン提供システムを適用する、主事業者及びその会員、の関係を示す図である。
【図２】本発明のクーポン提供システムの構成図である。
【図３】事業者会員ＤＢに登録される各事業所会員のデータの構成を示す図である。
【図４】クーポンＤＢに登録される各クーポンのデータの構成を示す図である。
【図５】クーポンの編集に係る本システムの動作のフローチャートである。
【図６】端末に表示された起動画面を示す図である。
【図７】端末に表示されたタイプ選択画面を示す図である。
【図８】端末に表示された入力前の編集画面を示す図である。
【図９】端末に表示された入力後の編集画面を示す図である。
【図１０】端末に表示されたクーポン確認画面を示す図である。
【図１１】事業者会員が端末を有していない場合の、クーポンの編集に係る本システムの動作のフローチャートである。
【図１２】クーポンサーバ装置の表示部に表示された起動画面を示す図である。
【図１３】端末に表示された受信画面を示す図である。
【図１４】集合クーポンの作成に係る本システムの動作のフローチャートである。
【図１５】クーポンサーバ装置の表示部に表示された起動画面を示す図である。
【図１６】クーポンサーバ装置の表示部に表示された、入力後の画面を示す図である。
【図１７】クーポンサーバ装置の表示部に表示された、表紙のレイアウト画面を示す図である。
【図１８】クーポンサーバ装置の表示部に表示された、集合クーポンのレイアウト画面を示す図である。
【図１９】クーポンサーバ装置の表示部に表示された、裏表紙のレイアウト画面を示す図である。
【符号の説明】
【００４０】
２  会員
２１  事業者会員
３１１  編集手段
３１２  作成手段
６  クーポン
６０  集合クーポン
【図１】
2005108081.tif 000003
【図２】
2005108081.tif 000004
【図３】
2005108081.tif 000005
【図４】
2005108081.tif 000006
【図５】
2005108081.tif 000007
【図６】
2005108081.tif 000008
【図７】
2005108081.tif 000009
【図８】
2005108081.tif 000010
【図９】
2005108081.tif 000011
【図１０】
2005108081.tif 000012
【図１１】
2005108081.tif 000013
【図１２】
2005108081.tif 000014
【図１３】
2005108081.tif 000015
【図１４】
2005108081.tif 000016
【図１５】
2005108081.tif 000017
【図１６】
2005108081.tif 000018
【図１７】
2005108081.tif 000019
【図１８】
2005108081.tif 000020
【図１９】
2005108081.tif 000021